(57)【要約】【課題】液晶プロジェクタの大型化を防止し、且つ、光学素子群を冷却する冷気を循環させるダクトが結露してしまうのを効果的に防止することができるプロジェクタを提供する。【解決手段】  本体に設けられた光源と、光源からの出射光を映像信号に応じて加工して映像光を出射する光学素子群を備えるプロジェクタにおいて、冷媒が圧縮機、放熱器、減圧装置、及び蒸発器の順に循環するよう配管で接続した冷媒回路と、送風手段により、蒸発器で冷却された空気が光学素子群を経て、再び蒸発器へと循環する風路を形成する空気循環ダクトと、空気循環ダクトを加熱する加熱手段と、を備え、加熱手段により、空気循環ダクト外面の温度を、空気循環ダクト外の空気の露点温度以上とする。【選択図】図１
2009258670.tif 000002
【特許請求の範囲】
【請求項１】
本体に設けられた光源と、該光源からの出射光を映像信号に応じて加工して映像光を出射する光学素子群を備えるプロジェクタにおいて、
冷媒が圧縮機、放熱器、減圧装置、及び蒸発器の順に循環するよう配管で接続した冷媒回路と、
送風手段により、前記蒸発器で冷却された空気が前記光学素子群を経て、再び前記蒸発器へと循環する風路を形成する空気循環ダクトと、
該空気循環ダクトを加熱する加熱手段と、を備え、
前記加熱手段により、前記空気循環ダクト外面の温度を、該空気循環ダクト外の空気の露点温度以上とすることを特徴とするプロジェクタ。
【請求項２】
前記冷媒回路の高温側と、該高温側の熱を前記空気循環ダクトに搬送する熱搬送手段により前記加熱手段を構成し、この空気循環ダクトを加熱することを特徴とする請求項１記載のプロジェクタ。
【請求項３】
前記光源と、該光源の熱を前記空気循環ダクトに搬送する熱搬送手段により前記加熱手段を構成し、この空気循環ダクトを加熱することを特徴とする請求項１記載のプロジェクタ。
【請求項４】
前記加熱手段は、ペルチェ素子であり、該ペルチェ素子の放熱側で前記空気循環ダクトを加熱すると共に、前記ペルチェ素子の吸熱側で前記空気循環ダクト内の空気を冷却することを特徴とする請求項１記載のプロジェクタ。
【請求項５】
前記光源、及び／又は放熱器を前記加熱手段とし、該加熱手段により加熱された空気を前記空気循環ダクト外面に接触させて加熱することを特徴とする請求項１記載のプロジェクタ。
【請求項６】
前記加熱手段は、室内空気であり、プロジェクタ外部から取り入れた室内空気（外気）を前記空気循環ダクト外面に接触させて加熱することを特徴とする請求項１に記載のプロジェクタ。
【請求項７】
本体に設けられた光源と、該光源からの出射光を映像信号に応じて加工して映像光を出射する光学素子群を備えるプロジェクタにおいて、
冷媒が圧縮機、放熱器、減圧装置、及び蒸発器の順に循環するよう配管で接続した冷媒回路と、
送風手段により、前記蒸発器で冷却された空気が前記光学素子群を経て、再び前記蒸発器へと循環する風路を形成する空気循環ダクトと、を備え、
該空気循環ダクトの一部には、前記光源からの出射光が通過するための光透過性部材が設けられ、該光透過性部材を前記空気循環ダクトに取り付けるための取付けしろ領域、又はその近傍に加熱手段を設けることによって、前記透過性部材外面の温度を、該透過性部材外面の空気の露点温度以上とすることを特徴とするプロジェクタ。
【発明の詳細な説明】
【技術分野】
【０００１】
本発明は、本体に設けられた光源と、この光源からの出射光を映像信号に応じて加工して映像光を出射する光学素子群を備えるプロジェクタに関するものである。
【背景技術】
【０００２】
従来この種プロジェクタ、例えば、液晶プロジェクタは、本体内に光源と、液晶パネル（光学素子群）と、投写レンズ等を搭載して構成されている。液晶パネルは、一般にライトバルブとして映像情報に応じて光源からの出射光を加工（変調）するための３枚の液晶パネルから成る。そして、光源からの出射光を赤色（Ｒ）、緑色（Ｇ）、青色（Ｂ）光に分離した後に、各液晶パネルによって映像情報に対応するＲ、Ｇ、Ｂ光に各々変調した後、プリズム等を介して投写光像として合成する。そして、合成した投写光像を投写レンズによってスクリーン上に拡大投写するものであった。
【０００３】
このような液晶プロジェクタでは、光源や光学素子群（液晶パネル等）が発熱源となって本体内が加熱状態となるので、本体内に複数のファンを設置して、各ファンにより液晶プロジェクタ外部の空気（外気）を光学素子群及び光源に供給（送風）して、放熱させていた。この場合、光源は数百度（例えば＋９００℃程度）と非常に高温となるので、外気により十分に放熱することができる。しかし、光学素子群は使用温度の上限が比較的低温で、例えば、光学素子群として液晶パネルを使用した場合、使用温度の上限は、＋７０℃乃至＋８０℃程度である。従って、当該光学素子群では、放熱可能な量が外気温度に大きく影響されることとなる。即ち、外気温度が低い場合には、光学素子群は供給される外気で十分に放熱することが可能であるが、外気温度が高い場合にはファンの風量を増加するなどして放熱する必要があった。このため、ファンの運転による騒音が増大すると共に、消費電力が著しく高騰するなどの問題が生じていた。
【０００４】
また、光源や光学素子群から熱を受け取った外気は外部に放出されるが、この放出された外気の一部が再びファンにより吸い込まれて液晶プロジェクタに供給される、所謂、放熱後の空気のショートサイクルが発生する問題も生じており、液晶パネルの好適な放熱効果を得ることができなかった。
【０００５】
また、近年、業務用の液晶プロジェクタ市場などにおいては、投影画像の大型化や高輝度化の要求が高まり、これに伴って光源の発光量が増大し、光学素子群へ導かれる光量も増加し、光学素子群の発熱量も増加する傾向にある。従って、光学素子群を通常の温度以下に維持しながら放熱することが困難になってきている問題が生じていた。
【０００６】
このような問題を解決するために、電子冷却で低温空気（冷気）を作り出して、液晶パネル（光学素子群）を冷却するものも提案されていた（例えば、特許文献１参照）。
【先行技術文献】
【特許文献】
【０００７】
【特許文献１】特開２００５−１２１２５０号公報
【発明の概要】
【発明が解決しようとする課題】
【０００８】
このような電子冷却により放熱や騒音の問題は解消することができるが、係る電子冷却はエネルギー効率が著しく悪く、且つ、電子冷却の発熱部が一体に構成されているため、冷却対象付近で外気への放熱手段（ヒートシンクやファン）が必要となり、空間的制約が生じて設計の自由度が著しく低下すると言った問題が生じていた。
【０００９】
また、液晶パネルなどが使用温度を超えないようにするためには、電子冷却以外の冷却装置（例えば、コンプレッサを用いた冷却装置）にて室温以下（外気温以下）の冷気を作り出して液晶パネルを冷却すればよい。この場合、光学素子群を冷却するためのダクトを設け、このダクト内に冷気を循環させればよい。しかしながら、このような室温以下の冷気を作り出して液晶パネルを冷却するものは、循環する冷気と接するダクトの温度が露点温度以下となりやすいため、外気（室温の空気）と接するダクトの外面に結露が生じ、場合によっては内面にも結露が生じてしまう。
【００１０】
ダクト内面は、ダクトの密閉度を高めることで、一時的には結露を抑えることが可能であるが、長期的使用では結露水は増加し、光学素子群やその他の電子部品等に悪影響を与えてしまう。ダクト外面は、参考文献のように冷気が循環する筐体やダクトを断熱性の高いものとすることで、外面の結露を防止することができる。しかし、例えば、外気＋３０℃程度、冷気温度が＋１０℃程度、断熱材の熱伝導率が０．１Ｗ／ｍ・Ｋ程度である場合、ダクトの外面温度を結露点以上とするためには、断熱材の厚みは３０ｍｍ程度必要となってしまう。このため、空間的設計制約が大きくなって、液晶プロジェクタの大型化が避けられなくなるという弊害が生じてしまう問題があった。
【００１１】
本発明は、従来の技術的課題を解決するためになされたものであり、液晶プロジェクタの大型化を防止し、且つ、光学素子群を冷却する冷気を循環させるダクトが結露してしまうのを効果的に防止することができるプロジェクタを提供することを目的とする。
【課題を解決するための手段】
【００１２】
請求項１の発明のプロジェクタは、本体に設けられた光源と、該光源からの出射光を映像信号に応じて加工して映像光を出射する光学素子群を備えるプロジェクタにおいて、冷媒が圧縮機、放熱器、減圧装置、及び蒸発器の順に循環するよう配管で接続した冷媒回路と、送風手段により、前記蒸発器で冷却された空気が前記光学素子群を経て、再び前記蒸発器へと循環する風路を形成する空気循環ダクトと、該空気循環ダクトを加熱する加熱手段と、を備え、前記加熱手段により、前記空気循環ダクト外面の温度を、該空気循環ダクト外の空気の露点温度以上とする。
【００１３】
請求項２の発明のプロジェクタは、請求項１記載のプロジェクタにおいて、前記冷媒回路の高温側と、該高温側の熱を前記空気循環ダクトに搬送する熱搬送手段により前記加熱手段を構成し、この空気循環ダクトを加熱することを特徴とする。
【００１４】
請求項３の発明のプロジェクタは、請求項１記載のプロジェクタにおいて、前記光源と、該光源の熱を前記空気循環ダクトに搬送する熱搬送手段により前記加熱手段を構成し、この空気循環ダクトを加熱することを特徴とする。
【００１５】
請求項４の発明のプロジェクタは、請求項１記載のプロジェクタにおいて、前記加熱手段は、ペルチェ素子であり、該ペルチェ素子の放熱側で前記空気循環ダクトを加熱すると共に、前記ペルチェ素子の吸熱側で前記空気循環ダクト内の空気を冷却することを特徴とする。
【００１６】
請求項５の発明のプロジェクタは、請求項１記載のプロジェクタにおいて、前記光源、放熱器、及び／又は圧縮機を前記加熱手段とし、該加熱手段により加熱された空気を前記空気循環ダクト外面に接触させて加熱することを特徴とする。
【００１７】
請求項６の発明のプロジェクタは、請求項１に記載のプロジェクタにおいて、前記加熱手段は、室内空気であり、プロジェクタ外部から取り入れた室内空気（外気）を前記空気循環ダクト外面に接触させて加熱することを特徴とする。
【００１８】
請求項７の発明のプロジェクタは、本体に設けられた光源と、該光源からの出射光を映像信号に応じて加工して映像光を出射する光学素子群を備えるプロジェクタにおいて、冷媒が圧縮機、放熱器、減圧装置、及び蒸発器の順に循環するよう配管で接続した冷媒回路と、送風手段により、前記蒸発器で冷却された空気が前記光学素子群を経て、再び前記蒸発器へと循環する風路を形成する空気循環ダクトと、を備え、該空気循環ダクトの一部には、前記光源からの出射光が通過するための光透過性部材が設けられ、該光透過性部材を前記空気循環ダクトに取り付けるための取付けしろ領域、又はその近傍に加熱手段を設けることによって、前記透過性部材外面の温度を、該透過性部材外面の空気の露点温度以上とすることを特徴とする。
【発明の効果】
【００１９】
請求項１の発明によれば、冷却器により室温以下に冷却された冷気を空気循環ダクトを介して光学素子群に供給すると共に、加熱手段により空気循環ダクト外面の温度を露点温度以上とする制御手段を備えることによって、光学素子群を冷却しつつ、加熱手段の加熱にてダクトの内外面が結露してしまうのを防止することができる。これにより、ダクトの内外面に結露した露（水）が光学素子群や電気、電子部品、機械部品などに飛び散って不具合が生じることなどを防止することができるようになると共に、結露により光学素子群や空気循環ダクトの内外面にカビや細菌が繁殖してしまう不都合も防止することができる。従って、光学素子群や空気循環ダクトの内外面を常に結露やカビ、細菌のない綺麗な状態に維持することが可能となり、光学素子群の品質向上やコストの低減を図ることができるようになる。
【００２０】
また、加熱手段の加熱によって空気循環ダクトの内外面の結露を防止することができるので、断熱のために断熱性が高い厚みのある空気循環ダクトを使用しなくても済み、空間的なレイアウト設計の自由度を向上させることができる。
【００２１】
請求項２の発明によれば、高温側（放熱器）と空気循環ダクトの位置関係に位置制約が無くなるので、生産時の組み立て作業や修理時等における取り外し作業、或いは、修理後の組み立て作業を容易に行うことが可能となる。従って、空気循環ダクト内に設けられた各機器の取り外しや組み立てを容易に行うことが可能となり、それらの作業性を著しく向上させることができる。
【００２２】
請求項３の発明によれば、光源と、該光源の熱を空気循環ダクトに搬送する熱搬送手段により加熱手段を構成し、当該ダクトを加熱するので、光源の熱でダクト加熱することができる。また、熱搬送手段により光源の熱を空気循環ダクトに搬送しているので、逆に光源を冷却することができる。これにより、光源の過熱を防止して、プロジェクタの品質を維持できる。
【００２３】
請求項４の発明によれば、加熱手段は、ペルチェ素子であり、該ペルチェ素子の放熱側により空気循環ダクトを加熱すると共に、ペルチェ素子の吸熱側により空気循環ダクト内の空気を冷却するので、ペルチェ素子の放熱側の加熱にてダクトの内外面が結露してしまうのを防止しつつ、吸熱側の吸熱により光学素子群の冷却を行う空気循環ダクトの加熱とダクト内空気の冷却の双方を行うことができる。これにより、冷却手段の運転率を低下させることができ、冷却手段から発生する騒音も低減させることができる。
【００２４】
請求項５の発明によれば、本体に設けられる発熱機器を加熱手段とし、当該発熱機器（各種電源及び基板など）により加熱された空気を空気循環ダクト外面に接触させて（吹き付けて）加熱するので、例えば、光源や放熱器の発熱で温風を作り、空気循環ダクトを加熱することができる。これにより、空気循環ダクトを加熱するための格別な熱源が不要となり、加熱エネルギーを削減することが可能となる。従って、空気循環ダクトの内外面の結露を低コストで防止することが可能となり、消費電力を低減させることができる。
【００２５】
請求項６の発明によれば、加熱手段は、プロジェクタが設置された室内の室内空気（プロジェクタが屋外に設置された場合は、外気（雰囲気空気）となる。）であり、プロジェクタ外部から取り入れた空気にてダクトを加熱するので、格別な加熱源を用いなくてもダクトを露点温度以上に加熱することができる。これにより、ダクトを加熱するための格別な熱源が不要となり、加熱エネルギーを削減することが可能となる。従って、ダクトの結露防止コストを極めて低減させることができるようになるものである。
【００２６】
請求項７によれば、空気循環ダクトの一部に光透過性部材を取り付ける際の取付けしろ領域、又はその近傍は、出射光による投写映像に寄与しない部分であり、この部分に加熱手段を設置することによって、投写映像を遮ることなく効果的に加熱でき、結露を防ぐことができる。
【図面の簡単な説明】
【００２７】
【図１】本発明の一実施例を示す液晶プロジェクタ（上面開口及び一部切り欠き）の斜視図である（実施例１）。
【図２】同図１の一実施例を示す液晶プロジェクタの内部構成図である。
【図３】本発明の一実施例を示す液晶プロジェクタの制御装置のブロック図である。
【図４】本発明の光透過性部材のダクトへの取付け部の側面図を示している。
【図５】本発明の他の実施例を示す液晶プロジェクタを構成するダクトの縦断側面図（模式図）である（実施例２）。
【図６】本発明の他の実施例を示す液晶プロジェクタの斜視図を示している（実施例３）。
【図７】本発明の他の実施例を示す液晶プロジェクタの斜視図を示している（実施例４）。
【図８】本発明の他の実施例を示す液晶プロジェクタの斜視図を示している（実施例５）。
【図９】本発明の他の実施例を示す液晶プロジェクタの斜視図を示している（実施例６）。
【図１０】本発明の実施例を示す液晶プロジェクタの斜視図を示している。
【発明を実施するための形態】
【００２８】
本発明は、プロジェクタに関するもので、冷却手段にて冷却された冷気を光学素子群に供給して放熱する際、冷気が循環するダクト（空気循環ダクト）の内外面が結露してしまうのを防止することを主な特徴とする。ダクトの内外面が結露してしまうのを防止するという目的を、ダクトに加熱手段を設けるだけの簡単な構成にて実現した。
【実施例１】
【００２９】
次に、図面に基づき本発明の実施の形態を詳述する。図１は本発明の一実施例を示す液晶プロジェクタＰ（上面開口及び一部切り欠き）の斜視図、図２は同図１の一実施例を示す液晶プロジェクタＰの内部構成図、図３は本発明の一実施例を示す液晶プロジェクタＰの、制御装置６０のブロック図をそれぞれ示している。
【００３０】
本実施形態における液晶プロジェクタＰ（本発明のプロジェクタに相当）は、図１、図２に示すように、本体１内部に設けられた光源２と、均一照明光学系３と、色分離光学系（図示せず）と、後述する光学素子群４と、投写レンズ９と、後述する冷却手段とから構成されている。尚、図１及び図２では本体１内部に設けられた各機器の説明を行うため、当該本体１の上方を開口（図１は、本体１の一部を切り欠いている）している。
【００３１】
光源２は、超高圧水銀ランプなどのランプ２０と、ランプ２０から発散される光（発散光）を前方に出射するためのリフレクタ２１とから構成されている（図２）。実施例の光源２は、複数（４つ）のランプ２０・・にそれぞれリフレクタ２１を取り付けて成るもので、本体１内に設けられたランプボックス２２内に収容されている。
【００３２】
前記均一照明光学系３は、光源２からの出射光を均一な輝度分布の光束とするものであり、図示しないがインテグレータレンズ、集光レンズ及び全反射ミラー等から構成されている。また、前記色分離光学系は、均一照明光学系３からの光束を赤色（Ｒ）、緑色（Ｇ）、青色（Ｂ）の光に分離するものであり、均一照明光学系３からの光束を各色に分離するための図示しないダイクロイックミラー（Ｄｉｃｈｒｏｉｃ）と、分離された各色光束を光学素子群４に導くための反射用ミラーなどにより構成されている。
【００３３】
光学素子群４は、３枚の液晶パネル（ＬＣＤパネル）５、６、７と、各液晶パネル５、６、７の入射側に所定の間隔を存して設けられた偏光板８Ａと、各液晶パネル５、６、７の出射側に所定の間隔を存して設けられた偏光板８Ｂと、プリズム２５等から構成されている。液晶パネル５、６、７は、上記色分離光学系により分離されて当該各液晶パネル５、６、７に導かれた光を映像情報に応じて加工（変調）するものである。また、プリズム２５は、各色の光を合成して投写光像を形成するものである。
【００３４】
このプリズム２５は、Ｘ状の誘電体多層膜から成る反射面を備えており、当該反射面を介して、各液晶パネル５、６、７からの光が単一の光束とされる。前記投写レンズ９は、プリズム２５からの投写光像をスクリーンに拡大投写するものであり、本体１の壁面に形成された図示しない孔内に着脱可能に配設されている。また、２７は光源２からの出射光を各液晶パネル５、６、７及び偏光板８Ａ、８Ｂ等に導くための光路を被覆する筐体である。即ち、光源２から各液晶パネル５、６、７の入射側の偏光板８Ａに至るまでに光が通過する経路（光路）は、当該筐体２７内に形成されている。尚、１Ｔは本体１底部の四隅近傍に設けられた足部、１８Ｆは放熱ファンである。
【００３５】
以上の構成で動作を説明すると、図１に矢印で示すように光源２からの出射光は、均一照明光学系３を介して均一な輝度分布の光束とされ、色分離光学系において各色Ｒ、Ｇ、Ｂの各光に分離される。分離された各光（Ｒ、Ｇ、Ｂ）は、入射側の偏光板８Ａを介して、それぞれ対応するライトバルブとして機能する液晶パネル５、６、７に導かれる。液晶パネル５、６、７に導かれた各光（Ｒ、Ｇ、Ｂ）は、そこで映像情報に応じて変調され、出射側の偏光板８Ｂを経てプリズム２５で単一の光束の投写映像とされた後、投写レンズ９からスクリーンに拡大投写される。以降、説明の都合上、３枚の液晶パネル（ＬＣＤパネル）５、６、７と、偏光板８Ａと、偏光板８Ｂと、プリズム２５等を光学素子群４と称す。
【００３６】
次に、前記冷却手段について説明する。該冷却手段は、圧縮機１２、放熱器１４及び蒸発器１８（冷却器）などが配管接続された冷却装置１０にて構成されている。この冷却装置１０は、光学素子群４を冷却するためのものであり、圧縮機１２、放熱器１４、キャピラリチューブ１６及び蒸発器１８から冷媒回路が構成されている。具体的には、冷却装置１０は、圧縮機１２の出口側の冷媒吐出管１３が放熱器１４の入口に接続され、放熱器１４の出口はキャピラリチューブ１６（本発明の減圧装置に相当）、冷媒配管１７を介して蒸発器１８の入口に接続されている。尚、上記では冷却装置１０での冷却を光学素子群４としているが、実際は光学素子群４の周辺及び、偏光ビームスプリッタ（ＰＢＳ）なども冷却している。また、冷媒回路の高温側には放熱器１４、冷媒回路の低温側には蒸発器１８が設けられる。
【００３７】
該蒸発器１８の出口が圧縮機１２の冷媒導入管１１に接続されて環状の冷媒回路が構成されている。また、係る放熱ファン１８Ｆ、圧縮機１２、放熱器１４が順次本体１内に配設され、放熱ファン１８Ｆは光源２近傍、放熱器１４はダクト５０近傍に配設されている。そして、本実施例では冷媒を減圧する減圧装置としてキャピラリチューブ１６を用いるものとしたが、減圧装置は当該キャピラリチューブ１６に限定されるものでなく、冷媒を所定の圧力に減圧することができるものであれば、どのようなものであっても良く、例えば、膨張弁を用いるものであっても差し支えない。
【００３８】
また、本体１の壁面には図示しないが、本体１内と外部と連通する通気孔が所定位置に２箇所設けられると共に、この通気孔には換気ファンが取り付けられている。そして、換気ファンが運転されると、一方の通気孔から本体１内に外気が吸い込まれ、吸い込まれた外気は圧縮機１２や放熱器１４などを冷却した後、光源２を冷却して他方の通気口から本体１外に排出される。
【００３９】
このとき、光源２は背景技術で示した如き約＋９００℃と非常に高温であるため、放熱器１４を通過して冷媒により加熱された空気であっても当該光源２の温度より著しく低温であるため当該放熱器１４通過後の外気により十分に放熱することができる。光源２にて高温に加熱された空気は、その後他方の通気口から本体１外に排出されることとなる。
【００４０】
一方、光学素子群４の周囲にはダクト５０が設けられている。このダクト５０は、光学素子群４の周囲を囲繞すると共に、このダクト５０内に冷却風路５２が形成されている（図５に図示）。即ち、液晶プロジェクタＰは、ダクト５０にて構成された冷却風路５２中に光学素子群４が配置され、後述する冷気循環用ファン４２にて循環される冷気（図５白抜き矢印）によりダクト５０内は約＋１０℃（設定温度）に維持されるものである。尚、光学素子群４は、外気温度に関係なく使用温度の上限＋７０℃乃至＋８０℃よりも低い＋５０℃乃至＋６０℃の温度になる。
【００４１】
該ダクト５０の一部は、そのダクトに対して略直交方向に光が通るようにレンズやガラスにて光透過性部材からなるクロス面が構成されており、他は熱伝導率の良好な板状の金属材料（例えば、アルミニウム板、或いは、銅板などの一枚の金属板）にて構成されている。このような構成のダクト５０は、ダクト（空気ダクト）と光路がクロスする必要があり、空気ダクトとの光路の出入り口が最低１箇所ずつ必要であるが、現在では各光（Ｒ、Ｇ、Ｂ）１箇所の入口、合計３箇所の入口が設けられていて、プリズム２５からの単一の光束の出口が１箇所設けられている。ダクト５０内には、冷気循環用ファン４２と前記蒸発器１８が配設されており、蒸発器１８と熱交換した冷気は冷気循環用ファン４２にてダクト５０内を循環する。このようにダクト５０を形成することで、光学素子群４に照射される光、及び、変調後に送出される映像情報を阻害すること無く、ダクト５０内を密閉構造、或いは、半密閉構造とし、且つ、蒸発器１８と熱交換して冷却され、当該ダクト５０を循環する空気を光学素子群４に供給し、当該光学素子群４を使用温度に維持できるように構成している。
【００４２】
また、図４に示すように、ダクト５０と光路とはクロスし、光源からの出射光が通過するガラスやレンズには、ダクト５０または筐体への取付けしろ領域があって、この取付けしろ領域は、出射光による投写映像に寄与しない部分であり、この部分に加熱手段を設置している。この領域に加熱手段を設置することで、投写映像を遮ることなく効果的に加熱でき、結露を防いでいる。
【００４３】
更に、ダクト５０には当該ダクト５０を加熱するための電気ヒータ６６（本発明の加熱手段に相当）が設けられると共に、この電気ヒータ６６はダクト５０の外面に取り付けられている。該電気ヒータ６６は、例えば、面状のラバータイプのヒータにて構成され、ダクト５０の上面、及び、ダクト５０の側面に取り付けられると共に、後述する制御装置６０により通電されて発熱温度が制御される。尚、電気ヒータ６６は、ダクト５０に２個、３個、４個設けても良くダクト５０全面に設けても差し支えない。また、電気ヒータ６６は、面状（平板状）であれば、ニクロム線（商品名）ヒータ、カーボンヒータ、セラミックスヒータなどであっても良く、帯状のリボンヒータであっても差し支えない。
【００４４】
図４に示すように、ダクト５０において、光源からの出射光が通過するガラスやレンズと、そのガラスやレンズを設置する支持取付け部（ガイド）との間にフィルム状の電気ヒータ６６ａが設置されていて、後述する制御装置６０により通電されて発熱温度が制御されている。尚、電気ヒータ６６としては、レンズやガラスの取付けしろ領域などの投写映像に寄与しない部分の内部に、線状の電気ヒータ６６ｂを埋め込むように設置しても良い。また、フィルム状の電気ヒータ６６ａ、線状の電気ヒータ６６ｂについては、レンズやガラスの取付けしろ領域の近傍、即ち光源からの出射光を遮断しないような取付けしろ領域外に設置しても良い。
【００４５】
一方、液晶プロジェクタＰには、図３に示すようにメモリやタイマを備えた汎用マイクロコンピュータからなる制御装置６０（本発明の制御手段に相当）を備えている。この制御装置６０には、ダクト５０外面が触れる空気の代表として、液晶プロジェクタＰが設置される箇所の室内温度Ｔｒ（以降、液晶プロジェクタＰが設置される箇所の室内温度、室内湿度（相対湿度）を、単に室内温度、室内湿度と称す）、及び、室内湿度Ｈｒを検出するための室内温度センサ６２、及び、室内湿度センサ６３が接続されている（図１に図示）。
【００４６】
この室内温度センサ６２と室内湿度センサ６３は、本体１の所定位置（例えば、光源２と光学素子群４との中間）に取り付けられている（図１に図示）。該両センサ６２、６３は、室内温度及び室内湿度を検出することができれば、本体１内でダクト５０外部、或いは、センサ部分を本体１外部に露出させるようにしても差し支えない。これによって、液晶プロジェクタＰが設置される室内温度Ｔｒと室内湿度Ｈｒとを検出できるように構成されている。該室内温度センサ６２は、本体１内の温度の影響を受けないように断熱材にて仕切られている。尚、実施例では、光源２と光学素子群４との中間の本体１側面に室内温度センサ６２と室内湿度センサ６３を取り付けているが、室内温度センサ６２と室内湿度センサ６３の取り付け位置はこれに限らず、液晶プロジェクタＰが設置される室内の温度と湿度を検出することができれば、他の場所に取り付けても差し支えない。
【００４７】
また、制御装置６０には、ダクト５０内を循環する空気の温度を検出するためのダクト内空気温度センサ６４、ダクト５０の温度（この場合、ダクト５０の壁の温度）を検出するためのダクト面温度センサ６５が接続されている。該ダクト内空気温度センサ６４は、ダクト５０の内側（ダクト５０内）に設けられると共に、ダクト５０内面から所定寸法離間して設けられ、ダクト５０の温度（ダクト５０の周囲壁の温度）の影響を受けないように取り付けられている。
【００４８】
ダクト面温度センサ６５は、ダクト５０の外面に設けられると共に、ダクト５０の外面に熱交換関係で密着して設けられている。また、制御装置６０には、加熱手段（前記電気ヒータ６６）が接続されると共に、圧縮機１２及び熱搬送ファン６７が接続されている。尚、ダクト面温度センサ６５は、本体１内の空気温度の影響を受けないように断熱材にて覆われている。また、熱搬送ファン６７については後の実施例で説明する。
【００４９】
該制御装置６０は、室内温度センサ６２と室内湿度センサ６３が検出した室内温度Ｔｒと室内湿度Ｈｒから、露点温度Ｔｘ（空気中の水分が結露する温度）を算出する。例えば、ある室内温度Ｔｒ及び室内湿度Ｈｒから露点温度Ｔｘが＋２５℃であり、ダクト５０内を循環する空気の温度が＋１０℃の場合、ダクト５０の温度Ｔｄ（ダクト５０の壁の温度）が＋２５℃以下になるとダクト５０面（壁の外面及び内面）に結露が発生することになる。そこで、制御装置６０は、室内温度Ｔｒと室内湿度Ｈｒから露点温度Ｔｘを算出し、この露点温度より高くなるようにダクト５０の温度Ｔｄを制御する。
【００５０】
即ち、制御装置６０は、算出した露点温度Ｔｘよりもダクト面温度センサ６５にて検出したダクト５０の温度Ｔｄが、例えば露点温度Ｔｘ＋１℃以下（Ｔｄ≦Ｔｘ＋１）となった場合には、電気ヒータ６６をＯＮ（通電）してダクト５０を加熱することにより、当該ダクト５０の結露を防止する。このとき、ダクト５０を熱伝導率の高い金属板にて構成しているので、ダクト５０全体の外面及び内面を露点温度以上の温度に加熱することができる。これにより、極めて迅速、且つ、効率的にダクト５０内外面の結露を防止することができる。
【００５１】
そして、制御装置６０は、ダクト面温度センサ６５が検出したダクト５０の温度Ｔｄが、例えば露点温度Ｔｘ＋３℃以上（Ｔｄ≧Ｔｘ×３）に上昇した場合には電気ヒータ６６をＯＦＦ（非通電）する。尚、制御装置６０は、ダクト内空気温度センサ６４が検出する冷却風路５２内の空気温度に基づき、前述した設定温度となるように冷却装置１０の運転制御を行うが、制御装置６０で冷却装置１０の運転制御を行う技術については従来より周知の技術であるため、詳細な説明を省略する。以降の各実施例で制御装置６０は上述同様の制御（冷却装置１０、ダクト５０の露点温度の制御、ダクト５０内を循環する冷気温度の制御、）を行うものとし、詳細な制御説明は省略する。
【００５２】
以上の構成により、冷却装置１０を用いた冷却動作を説明する。圧縮機１２が駆動されると、冷媒導入管１１から図示しない圧縮要素内に低温低圧の冷媒が吸い込まれて、そこで圧縮される。圧縮されて高温高圧となった冷媒は、冷媒吐出管１３に吐出され、放熱器１４に流入する。放熱器１４に流入した冷媒は、そこで通気孔３５から流入した外気と熱交換して放熱する。放熱器１４にて放熱した冷媒は、冷媒配管１５を経てキャピラリチューブ１６に入り、当該キャピラリチューブ１６を通過する過程で減圧されて、低温低圧となり、この状態で蒸発器１８に流入する。
【００５３】
蒸発器１８に流入した冷媒は、そこで、冷気循環用ファン４２によりダクト５０内を循環する空気から熱を奪って蒸発する。一方、蒸発器１８にて冷媒に熱を奪われ冷却された空気（室内温度より低い温度の冷気）は、冷気循環用ファン４２によりダクト５０内を循環して光学素子群４に供給される。これにより、光学素子群４は、係るダクト５０内を循環する空気（設定温度は前記＋１０℃）に熱を放出して冷却される。尚、蒸発器１８にてダクト５０内の光学素子群４から熱を受け取った冷媒は冷媒導入管１１から圧縮機１２に吸い込まれ圧縮されて、放熱器１４に流入し、当該放熱器１４にて通風される外気に熱を放出するサイクルを繰り返す。
【００５４】
このように、液晶プロジェクタＰは、本体１内（ダクト５０内）に設けられた蒸発器１８（冷却手段）と、この蒸発器１８により冷却された冷気を光学素子群４に供給して冷却するダクト５０と、該ダクト５０を加熱する電気ヒータ６６（加熱手段）とを備えている。そして、蒸発器１８により液晶プロジェクタＰが設置される室内温度以下に冷却された冷気をダクト５０により光学素子群４に供給すると共に、電気ヒータ６６によりダクト５０の内外面温度を露点温度以上とする制御装置６０を備えているので、光学素子群４を冷却しつつ、電気ヒータ６６の加熱にてダクト５０の内外面が結露してしまうのを防止することができる。
【００５５】
これにより、ダクト５０の内面に結露した露（水）が光学素子群４に飛び散って不具合が生じてしまうなどといった不都合を防止することができるようになると共に、結露により光学素子群４やダクト５０の内外面にカビや細菌が繁殖してしまうなどといった不都合も防止することができる。従って、光学素子群４やダクト５０の内外面を常に結露やカビ、細菌のない綺麗な状態に維持することが可能となり、光学素子群４の品質向上及びメンテナンスコストの低減を図ることができる。
【００５６】
また、電気ヒータ６６の加熱によってダクト５０の内外面の結露を防止することができるので、課題のようなダクト５０の断熱のために、断熱性が高い厚みのあるダクト５０を使用しなくても済み、空間的なレイアウト設計の自由度を向上させることができる。
【００５７】
また、ダクト５０を金属板にて構成しているので、ダクト５０の熱伝導を大幅に向上させることができ、ダクト５０全体の面積に対して、小さな面積の電気ヒータ６６であっても、ダクト５０全体を効果的に加熱させることができる。これにより、ダクト５０全体の外面及び内面を均一に露点温度以上にでき、ダクト５０の結露を効果的に防止することができる。
【００５８】
また、加熱手段を電気ヒータ６６にて構成しているので、加熱手段を簡単な構成とすることができる。特に、加熱手段を電気ヒータ６６にて構成することにより配線取り回しを外でできるので、ダクト５０の密閉性を向上させることが可能になると共に、組み立て作業性及び温度制御を容易に行うことが可能となる。
【実施例２】
【００５９】
次に、図５には本発明の他の実施例の液晶プロジェクタＰを構成するダクト５０の縦断側面図（模式図）を示している。該液晶プロジェクタＰは、前述の実施例と略同じ構成を有している。以下、異なる部分について説明する。尚、前述の実施例と同じ部分にはこれと同じ符号を付し、説明を省略する。
【００６０】
即ち、ダクト５０内を循環する冷気を冷却する冷却装置１０の補助として、ペルチェ素子６８（本発明の加熱手段に相当）をダクト５０内に設けている。このペルチェ素子６８は、２種類の金属の接合部に電流を流すと、片方の金属から他方の金属へ熱が移動するペルチェ効果を有する半導体素子であり、蒸発器１８と光学素子群４との間に設けられている。このペルチェ素子６８の吸熱側には一方の金属板６８Ａ、放熱側には他方の金属板６８Ｂが設けられている。該他方の金属板６８Ｂは、ダクト５０の内面に当接されて取り付けられ、これによって、一方の金属板６８Ａにて吸熱した熱を他方の金属板６８Ｂから放熱してダクト５０を加熱できるように構成されている。
【００６１】
また、ペルチェ素子６８の一方の金属板６８Ａには、吸熱板７０が固定されており、この吸熱板７０は、一方の金属板６８Ａに固定される板状のベース板７０Ａと、このベース板７０Ａに所定の間隔を存して立設された複数枚の吸熱フィン７０Ｂとから構成されている。この場合、ペルチェ素子６８（一方の金属板６８Ａ）には熱伝導率の高いグリスが塗布され、一方の金属板６８Ａと吸熱板７０（ベース板７０Ａ）とが熱交換関係に固定されている。
【００６２】
そして、他方の金属板６８Ｂがダクト５０内面に固定された状態で、複数枚の吸熱フィン７０Ｂは、他方の金属板６８Ｂが固定されたダクト５０内面に対向するダクト５０内面近傍まで延在している。尚、図５では複数枚の吸熱フィン７０Ｂが所定の間隔で積層された、最も上の一枚の吸熱フィン７０Ｂを図示しており、ダクト５０を循環する空気は、各吸熱フィン７０Ｂ間を点線矢印方向に通過する。また、ペルチェ素子６８の吸熱側（一方の金属板６８Ａ）に吸熱板７０を設けず、そのまま一方の金属板６８Ａをダクト５０内に露出させておいても差し支えない。この場合、吸熱板７０が不要となり、コストアップを防止することができる。
【００６３】
そして、前記制御装置６０は、ペルチェ素子６８の一方の金属板６８Ａと他方の金属板６８Ｂの接合部に流す電流を制御する。これにより、ダクト５０内を循環する空気の冷却を行うと共に、前述した如き、ダクト５０の内外面温度が露点温度以上となるようにペルチェ素子６８の吸熱と放熱の制御を行う。
【００６４】
そして、前述同様に圧縮機１２が駆動され、冷媒導入管１１から図示しない圧縮要素内に低温低圧の冷媒が吸い込まれて、そこで圧縮される。圧縮されて高温高圧となった冷媒は、冷媒吐出管１３に吐出されて放熱器１４に流入し、そこで通気孔３５から流入した外気と熱交換して放熱する。放熱器１４にて放熱した冷媒は、冷媒配管１５を経てキャピラリチューブ１６を通過する過程で減圧され、蒸発器１８に流入する。蒸発器１８に流入した冷媒は、そこで、ダクト５０内を循環する空気から熱を奪って蒸発する。
【００６５】
一方、蒸発器１８にて冷媒に熱を奪われ冷却された空気（冷気）は、冷気循環用ファン４２によりダクト５０内を循環する際、ペルチェ素子６８（一方の金属板６８Ａ）に熱交換関係に固定された吸熱板７０（複数枚の吸熱フィン７０Ｂ）に熱を吸熱されて、ダクト５０の空気は更に冷却される。そして、吸熱板７０に熱を奪われたダクト５０内を循環する空気の熱は、ペルチェ素子６８（一方の金属板６８Ａ）に伝熱され、他方の金属板６８Ｂから放熱してダクト５０を加熱し、結露を防止する。
【００６６】
また、ダクト５０内でペルチェ素子６８に熱を奪われ、更に冷却された空気は、光学素子群４に供給され、光学素子群４は係る冷却空気に熱を放出して冷却される。即ち、ペルチェ素子６８は、一方の金属板６８Ａにてダクト５０内を循環する冷気を更に冷却して光学素子群４の温度上昇防止と、他方の金属板６８Ｂにてダクト５０を加熱して、当該ダクト５０の結露の防止との双方を効果的に行うことができる。
【００６７】
このように、加熱手段をペルチェ素子６８にて構成することにより、当該ペルチェ素子６８の他方の金属板６８Ｂにてダクト５０を加熱すると共に、ペルチェ素子６８の吸熱側（一方の金属板６８Ａ）により、冷気循環用ファン４２で循環するダクト５０内の冷気を更に冷却することができる。従って、ペルチェ素子６８の放熱側（他方の金属板６８Ｂ）の加熱にてダクト５０の内外面が結露してしまうのを防止しつつ、吸熱側（一方の金属板６８Ａ）の吸熱によりダクト５０内を循環する空気を冷却し、光学素子群４の温度上昇を防止することができる。
【００６８】
特に、ペルチェ素子６８により冷気を冷却することで、冷却装置１０の運転率を低下させることができ、冷却装置１０から発生する騒音も低減させることができる。即ち、ペルチェ素子６８は、ダクト５０の加熱と、ダクト５０内を循環する冷気の冷却との双方を効果的に行うことができるので、消費電力を著しく低減させることができる。
【実施例３】
【００６９】
次に、図６には本発明の他の実施例の液晶プロジェクタＰの斜視図を示している。該液晶プロジェクタＰは、前述の実施例と略同じ構成を有している。以下、異なる部分について説明する。尚、前述の実施例と同じ部分にはこれと同じ符号を付し、説明を省略する。この場合、圧縮機１２の出口側に接続された冷媒吐出管１３と放熱器１４とを、ダクト５０（外面）と熱交換関係に配設して、放熱器１４の熱でダクト５０を加熱できるように構成している。
【００７０】
即ち、圧縮機１２の出口側に接続された冷媒吐出管１３をダクト５０周囲に熱交換関係に密着して配設した後、放熱器１４に接続すると共に、放熱器１４をダクト５０の側面（図中ダクト５０の左側）に設置して、冷却装置１０を構成する冷媒回路（本発明の熱搬送手段の冷媒搬送回路に相当）の高温側（放熱器１４）を配設している。これにより、圧縮機１２から吐出された高温の冷媒でダクト５０を加熱でき、更に放熱器１４にてダクト５０を加熱することができる。従って、従来は本体１外に廃熱していた放熱器１４の熱を利用してダクト５０を効率よく加熱することができるので、当該ダクト５０の内外面が結露してしまうのを防止することができる。
【実施例４】
【００７１】
次に、図７には本発明の他の実施例の液晶プロジェクタＰの斜視図を示している。該液晶プロジェクタＰは、前述の実施例と略同じ構成を有している。以下、異なる部分について説明する。尚、前述の実施例と同じ部分にはこれと同じ符号を付し、説明を省略する。即ち、液晶プロジェクタＰは、光源２の熱をダクト５０に搬送するヒートパイプ７２（本発明の熱搬送手段に相当）を設けている。即ち、熱搬送手段は、光源２上面からダクト５０上面まで延在するヒートパイプ７２と、このヒートパイプ７２の光源２側に設けられた吸熱部材７５Ａと、ヒートパイプ７２のダクト５０側に設けられた放熱部材７５Ｂとから構成されている。
【００７２】
該ヒートパイプ７２（ヒートパイプ７２と吸熱部材７５Ａと放熱部材７５Ｂ）は、熱伝導率の高い銅などの金属にて構成され、内部には冷媒と液化した冷媒を搬送させるウイックが封入されている。該吸熱部材７５Ａは、所定厚さの板状に構成され、光源２が収容されたランプボックス２２上面に熱交換関係に固定されている。また、放熱部材７５Ｂも、所定厚さの板状に構成され、ダクト５０上面に熱交換関係に固定されると共に、ヒートパイプ７２の一側は吸熱部材７５Ａと、他側は放熱部材７５Ｂと熱交換関係に固定されている。これにより、発熱した光源２の熱は吸熱部材７５Ａに吸熱され、ヒートパイプ７２を介して放熱部材７５Ｂに搬送される。放熱部材７５Ｂに搬送された熱はダクト５０に放熱されてダクト５０を加熱する。即ち、ヒートパイプ７２は、光源２から発生する熱を効率よく搬送して、ダクト５０を加熱し、当該ダクト５０が結露してしまうのを防止する。
【００７３】
このように、熱搬送手段をヒートパイプ７２にて構成しているので、光源２の熱でダクト５０を加熱することができ、ダクト５０が結露してしまうのを効果的に防止することができる。これにより、冷却装置１０で、ダクト５０の内外面の加熱と、ダクト５０内を循環する冷気の冷却との双方を行うことができるので、液晶プロジェクタＰの利便性を大幅に向上させることが可能となる。特に、冷却装置１０の冷媒回路とヒートパイプ７２とを別々に構成しているので、最初にヒートパイプ７２の熱搬送能力を設計しておくことで制御が不要となる。従って、ダクト内に設けられた各機器の取り外しや組み立てを容易に行うことが可能となり、それらの作業性を著しく向上させることができる。尚、実施例４では、光源２の熱をダクト５０に搬送する熱搬送手段にヒートパイプ７２を用いたが、熱搬送手段としてヒートパイプ７２の代わりに、金属部材或いは水や空気などの冷媒搬送回路を用いて光源２の熱をダクト５０に搬送するようにしても差し支えない。
【実施例５】
【００７４】
次に、図８には本発明の他の実施例の液晶プロジェクタＰの斜視図を示している。該液晶プロジェクタＰは、前述の実施例と略同じ構成を有している。以下、異なる部分について説明する。尚、前述の実施例と同じ部分にはこれと同じ符号を付し、説明を省略する。即ち、液晶プロジェクタＰは、ランプボックス２２の光学素子群４側に前記熱搬送ファン６７を設けている。そして、この熱搬送ファン６７にて図中白抜き矢印で示すように光源２から発生した熱をダクト５０方向に送風し、ダクト５０を加熱して当該ダクト５０が結露してしまうのを防止できるように構成している。
【００７５】
該冷却装置１０を構成する放熱器１４は、ダクト５０の外面に併設（図中ダクト５０の左側）されている。また、放熱ファン１８Ｆは、放熱器１４に併設されると共に、放熱器１４から放熱された熱をダクト５０の壁面方向に送風できる位置に配設されている。また、放熱器１４とダクト５０は、放熱ファン１８Ｆにて送風された空気が当該放熱器１４とダクト５０間から本体１内に流通できる所定寸法離間している。これにより、図中白抜き矢印で示すように放熱ファン１８Ｆにより送風された空気が放熱器１４の熱をダクト５０方向に送風し、ダクト５０を加熱して、ダクト５０が結露してしまうのを防止できるように構成している。
【００７６】
そして、制御装置６０は、室内温度センサ６２と室内湿度センサ６３が検出した室内温度と湿度から、露点温度を算出する。制御装置６０は、ダクト面温度センサ６５が検出したダクト５０の温度が低下していき、露点温度に近づく（露点温度よりも＋１℃〜＋２℃高い温度）と、熱搬送ファン６７をＯＮして光源２から発生した熱をダクト５０方向に送風する。これにより、ダクト５０を加熱して当該ダクト５０が露点温度になって結露してしまうのを防止すると共に、ダクト５０の温度が、露点温度よりも高い場合は、熱搬送ファン６７をＯＦＦして、ダクト５０への送風を停止する。尚、放熱ファン１８Ｆは、ダクト５０の露点温度に関係なく冷却装置１０の運転によりＯＮ／ＯＦＦ制御される。
【００７７】
このように、本体１に設けられる発熱機器（光源２及び放熱器１４）を加熱手段とし、当該発熱機器により加熱された空気をファンで１８Ｆ、６７によってダクト５０外面に吹き付けて、当該ダクト５０を加熱することができるので、光源２及び放熱器１４などの発熱機器の熱で温風を作り、ダクト５０を加熱することができる。これにより、ダクト５０を加熱するための格別な熱源が不要となり、発熱機器の熱を有効利用することができる。また、ダクト５０の結露防止のため、当該ダクト５０を加熱するためのエネルギーを削減することが可能となる。従って、ダクト５０の内外面の結露を低コストで防止することが可能となる。
【実施例６】
【００７８】
次に、図９には本発明の他の実施例の液晶プロジェクタＰの斜視図を示している。該液晶プロジェクタＰは、前述の実施例と略同じ構成を有している。以下、異なる部分について説明する。尚、前述の実施例と同じ部分にはこれと同じ符号を付し、説明を省略する。即ち、実施例６では、プロジェクタＰ外部（本体１外部）から取り入れた室内空気にて加熱手段を構成し、この加熱手段（室内空気）にてダクト５０を加熱するように構成している。
【００７９】
そして、前記実施例１では、電気ヒータ６６を加熱手段としてダクト５０を露点温度以上に加熱し、前記実施例２では、ペルチェ素子６８の放熱側を加熱手段としてダクト５０を露点温度以上に加熱し、前記実施例３では、圧縮機１２の出口側に接続された冷媒吐出管１３と放熱器１４とを加熱手段としてダクト５０を露点温度以上に加熱し、ダクト５０の内外面の結露を防止している。また、前記実施例４では、光源２の熱を加熱手段としてヒートパイプ７２にてダクト５０まで搬送し、その熱でダクト５０を露点温度以上に加熱し、前記実施例５では、光源２の熱を加熱手段として熱搬送ファン６７にてダクト５０を露点温度以上に加熱すると共に、放熱器１４を加熱手段として放熱ファン１８Ｆにてダクト５０を露点温度以上に加熱して、当該ダクト５０の内外面の結露を防止したが、実施例６では実施例１の電気ヒータ６６の代わりに本体１外の空気（プロジェクタがＰ設置された室内の空気）を、本体１内に取り入れてダクト５０外面に吹き付けるファン５４を設けている。本体１外の空気を取り入れる場合、その空気は高温・低湿度であることが好ましい。
【００８０】
該ファン５４は、ダクト５０の側面（図中ダクト５０の左側）に設けられると共に、ダクト５０に対応する本体１の側面には空気取り入れ口（図示せず）が設けられている。そして、図中白抜き矢印で示すように、本体１側面の空気取り入れ口から室内の空気を本体１内に取り入れ、ファン５４にてダクト５０外面に吹き付ける。これにより、ダクト５０を露点温度以上に加熱することができるので、当該ダクト５０の内外面の結露を防止することができる。
【００８１】
また、図１０に示すように、ファン５４をダクト５０の側面（図中ダクト５０の右側）に設けても差し支えない。即ち、図７（実施例５）では、ダクト５０の左側に放熱ファン１８Ｆを設けているので、そこにファン５４を設けることができない。そこで、ダクト５０の右側にファン５４を設け、当該ファン５４に対応する本体１側面に空気取り入れ口５６を設けている。そして、この場合も図中白抜き矢印で示すように、本体１側面の空気取り入れ口５６から室内の空気を本体１内に取り入れ、ファン５４にてダクト５０外面に吹き付ける。これにより、ダクト５０を露点温度以上に加熱させることができるので、当該ダクト５０の内外面の結露を防止することができる。
【００８２】
尚、実施例６では、室内の空気（プロジェクタＰ外部の空気）は、実施例１乃至実施例５の加熱手段よりも当然温度が低いので、大きな風量が得られるファン５４が用いられる。
【００８３】
このように、室内空気を加熱手段として、プロジェクタＰ外部（本体１外部）から取り入れた室内空気にてダクト５０を加熱するようにしているので、格別な加熱源を用いなくてもダクト５０を露点温度以上に加熱することができる。これにより、格別な熱源が不要となり、加熱エネルギーを削減することが可能となる。従って、ダクト５０の結露防止コストを極めて低減させることができるようになる。
【００８４】
尚、実施例１乃至実施例６のダクト５０の材質は一般的には金属材料であるが、必ずしも金属材料である必要はなく、例えば断熱系材料でも良い。実施例１乃至実施例４は、固体のダクト５０の一部に固体の加熱手段を接触させて加熱する場合（加熱手段の接触面積が小さい）であり、ダクト温度分布を均一化し、局所的に低温となる部分を無くするためには、熱伝導性の良い金属材料であることが好ましい。
【００８５】
しかし、実施例５乃至実施例６は、固体のダクト５０全体を気体の空気により一様加熱する場合（加熱手段の接触面積が大きい）であり、比較的温度分布がつきにくい加熱方法である。従って、ダクト５０の材料を熱伝導性の高くない硬貨塩化ビニル、シリコン樹脂、フッ素樹脂、フェノール樹脂、ポリカーボネイト樹脂、ポリスチレン樹脂などの樹脂系材料、ゴム・プラスチック系材料、ガラス系材料、繊維系材料などとしても良い。
【００８６】
尚、各実施例ではプロジェクタの一例として液晶プロジェクタＰを用いて説明したが、本発明のプロジェクタは液晶プロジェクタＰに限定されるものでなく、本体１に光源２と、この光源２からの出射光を映像情報に応じて加工する光学素子群４と、加工後の投写光像をスクリーンに投写するための投写レンズ９とを設けて成るプロジェクタであれば良く、例えば、ＤＬＰプロジェクタ（ＤＬＰ（登録商標））に本発明を適用しても有効である。また、レーザ光源などの固体光源から発した光線を光学素子群に照射し、光線を加工することにより、映像光を出射するレーザスキャンプロジェクタに本発明の各実施例を適用しても有効である。
【符号の説明】
【００８７】
Ｐ      液晶プロジェクタ
１      本体
２      光源
３      均一照明光学系
４      光学素子群
５、６、７  液晶パネル
８Ａ、８Ｂ  偏光板
９      投写レンズ
１０    冷却装置
１２    圧縮機
１４    放熱器
１６    キャピラリチューブ（減圧装置）
１８    蒸発器
１８Ｆ  放熱ファン
２０    ランプ
２２    ランプボックス
４２    冷気循環用ファン
５０    ダクト
５２    冷却風路
６０    制御装置
６２    室内温度センサ
６３    室内湿度センサ
６４    ダクト内空気温度センサ
６５    ダクト面温度センサ
６６    電気ヒータ
６６ａ  フィルム状の電気ヒータ
６６ｂ  線状の電気ヒータ
６７    熱搬送ファン
６８    ペルチェ素子
７２    ヒートパイプ
７５    金属アーム
【図４】
2009258670.tif 000003
【図１】
2009258670.tif 000004
【図２】
2009258670.tif 000005
【図３】
2009258670.tif 000006
【図５】
2009258670.tif 000007
【図６】
2009258670.tif 000008
【図７】
2009258670.tif 000009
【図８】
2009258670.tif 000010
【図９】
2009258670.tif 000011
【図１０】
2009258670.tif 000012